(57)【特許請求の範囲】
【請求項１】
浴室内に浴室内を加湿する加湿手段と浴室内を加熱する加熱手段を備え、前記加湿手段および前記加熱手段を運転することにより、前記浴室内を高湿状態とするサウナシステムにおいて、前記加熱手段および加湿手段の運転時間を検出する時間検知手段を備えるとともに前記時間検知手段により検出した運転時間に基づき浴室外部に経過時間を報知する経過時間報知手段を設け、前記浴室内に人が入浴したことを認知する入浴者認知手段を備え、前記入浴者認知手段により入浴者が一定時間以上入浴すると前記経過時間報知手段により浴室外部に入浴中であることを連絡し、サウナシステムは少なくとも２以上の運転モードを供え、運転モード別に前記入浴者認知手段により入浴者が一定時間以上入浴すると前記経過時間報知手段により浴室外部に入浴中であることを連絡する前記一定時間を変えること特徴とするサウナシステム。
【請求項２】
加湿手段と加熱手段と時間検知手段を備え、前記加湿手段と加熱手段が一定時間以上連続運転を行なうと、前記加熱手段および前記加湿手段を停止させる長時間運転禁止制御手段を設けたことを特徴とする請求項１記載のサウナシステム。
【請求項３】
浴室内に人が入浴したことを認知する入浴者認知手段を備え、入浴者が浴室に入室した後、一定時間以上加湿手段あるいは加熱手段が連続運転を行なうことを禁止する長時間運転禁止制御手段を設けたことを特徴とする請求項１または２に記載のサウナシステム。
【請求項４】
サウナシステムは少なくとも２以上の温度または湿度の設定値が異なる運転モードを備え、前記運転モード別に加熱手段および加湿手段の一定時間以上の連続運転を停止させる長時間運転禁止制御手段を設け、前記運転モード別に前記一定時間を変えたことを特徴とする請求項３記載のサウナシステム。
【請求項５】
浴室内に前記浴室内を加湿する加湿手段と前記浴室内を加熱する加熱手段と前記浴室内温度を検出する浴室温度検出部を備え、前記浴室温度検出部により前記浴室内が上限温度以上と判定したとき前記加湿手段および前記加熱手段の運転を停止し前記浴室外部に連絡する異常温度報知手段を備えたことを特徴とする請求項１乃至４のいずれかに記載のサウナシステム。
【請求項６】
浴室内に前記浴室内を加湿する加湿手段と前記浴室内を加熱する加熱手段と前記浴室内温度湿度を検出する浴室温度湿度検出部を備え、前記浴室温度湿度検出部により前記浴室内が上限温度湿度以上と判定したとき前記加湿手段および前記加熱手段の運転を停止し前記浴室外部に連絡するようにしたことを特徴とする請求項１乃至５のいずれかに記載のサウナシステム。
【発明の詳細な説明】
【技術分野】
【０００１】
本発明は、浴室やシャワー室等に使用されるサウナシステムに関する。
【背景技術】
【０００２】
サウナには、室内の温度を１００℃程度、相対湿度を１０％程度の高温低湿環境にするドライ式サウナや、室内の温度を４０〜５０℃程度、相対湿度を７０％以上程度の中高温高湿環境にする水破砕式サウナがある。近年、浴室やシャワー室等に設置し、浴室やシャワー室そのものをサウナルームとして使用可能とするサウナ装置が注目されており、水破砕式のものが種々提案されている。
【０００３】
従来、この種のサウナシステムは、水破砕式のミストを噴出するものが知られている（例えば、特許文献１参照）。
【０００４】
以下、そのサウナシステムについて図７および図８を参照しながら説明する。
【０００５】
図７に示すように、浴室空調装置は、ミスト対象室としての浴室１０１に設置され、循環ファン１０２や可動ルーバー１０３を備えた装置本対部１０４、その装置本体部１０４に支持される温水噴射手段としてのミスト噴出部１０５、循環ファン１０２およびミスト噴出部１０５を制御する制御手段としての制御回路（図示せず）などから構成されている。
【０００６】
図８に示すように、装置本体部１０４は浴室１０１内の浴槽Ａの上部に相当する箇所に設置され、装置本体部１０４は、本体ケーシング１０４ａ内に吸気口１０７を通して浴室１０１内の空気を吸引して吹出口１０８を通して空気を吹出すための循環通風路１０９、その循環通風路１０９に対して通風作用する循環ファン１０２、循環通風路１０９を通風する空気に対して加熱作用をする加熱手段として熱交換器１１０、その熱交換器１１０に熱源機Ｂからの温水の供給を断続する熱動弁１１１、吹出口１０８を通して吹出される空気の吹出し方向を変更自在な可動ルーバー１０３、浴室１０１内の空気を吸引して排気ダクト１１２を通して屋外に排気する換気ファン１１３などを備えて構成されている。
【０００７】
一方、装置本体部１０４は内部にミスト噴出部１１４を備え、ミスト噴出部１１４には複数の噴出ノズル１１４が配設され、噴出ノズル１１４に対応する位置に、ミストを噴出するための複数のミスト噴出口１１５が形成されたものであった。このミスト噴出口１１５より給湯機等の熱源機で加熱した給湯温水を噴出ノズル１１４から浴室１０１内に細分化された温水ミストで噴射するもので、このため浴室１０１内は高温高湿の空間となる。
【特許文献１】特開２００２−３３６１５５号公報
【発明の開示】
【発明が解決しようとする課題】
【０００８】
このような従来のサウナ装置では、装置を作動すると浴室内が高温高湿の空気となり、浴室のドアが開いていたり、また浴室ドアのガラリの隙間より浴室内の高温高湿の空気が浴室に隣接した部屋、つまり洗面所等に流出し洗面所壁面に結露しカビの発生原因となるという課題があり、浴室内から湿気が漏れないようにすることが要求されている。
【０００９】
また、サウナ運転時でも浴室内とドアを介して浴室と連通する部屋に対して負圧の空間にすることのできるサウナシステムを提供することを目的としている。
【００１０】
そして、従来のサウナ装置では浴室内が高温高湿の空気になることにより隣接する洗面所等より空気の比体積が大きくなり、つまり正圧となり、洗面所に高温高湿の空気が漏洩するという課題があり、浴室内から隣室に湿気が漏れないようにすることが要求されている。
【００１１】
また、サウナ運転時でも浴室内とドアを介して浴室と連通する部屋に対して負圧にするとサウナ運転で加熱加湿空間を作るために投入した熱量のロスが必要以上となるため同圧の空間にすることのできるサウナシステムを提供することを目的としている。
【００１２】
そして、従来のサウナ装置では浴室内が高温高湿の空気になることにより隣接する洗面所等より空気の比体積が大きくなり、つまり正圧となり、洗面所に高温高湿の空気が漏洩するという課題があり、浴室内から隣室に湿気が漏れないようにすることが要求されている。
【００１３】
また、サウナ運転時に浴室ドアが開いているとき、検知する手段がなく隣室に加熱加湿空気が漏洩することによる投入熱量のロスおよび隣接した部屋のカビ発生の抑制という課題があり、立ち上がり時間の短縮および隣室へのカビ等による被害削減が要求されている。
【００１４】
また、サウナ浴をするとき浴室内部が高温高湿の状態となっているため、長時間の入浴は入浴者の身体に対して悪影響を及ぼす可能性あり、また入浴者がサウナ装置を停止することができない状況も想定されるという課題があり、第３者にも浴室内の状況を把握できるようにすることが要求されている。
【００１５】
また、入浴者自身が自身の健康管理のため、入浴時間を管理したいという課題があり、浴室内でも入浴時間が確認を行なうことができるシステムが要求されている。
【００１６】
また、サウナ装置は高温高湿あるいは低温高湿といった何種類かのモードを備えており、一般的に高温高湿モードは短時間入浴、低温高湿モードは長時間入浴となるため、例えば低温高湿モードで入浴中に高温高湿モードと同じタイミングで第３者に報知した場合報知回数が多くなり入浴者にも第３者にも耳障りとなるといった課題があり、各々のモード別に第３者および入浴者に報知するタイミングを変えるという仕様が要求されている。
【００１７】
また、サウナ浴をするとき浴室内部が高温高湿の状態となっているため、長時間の入浴は入浴者の身体に対して悪影響を及ぼす可能性あり、また入浴者がサウナ装置を停止することができない状況も想定されるという課題があり、特に独り身の入浴者の場合、第３者の確認も不可能なため浴室内の高温高湿状態の継続を停止することが要求されている。
【課題を解決するための手段】
【００３８】
本発明のサウナシステムは上記目的を達成するために、浴室内に浴室内を加湿する加湿手段と浴室内を加熱する加熱手段を備え、前記加湿手段および前記加熱手段を運転することにより、前記浴室内を高湿状態とするサウナシステムにおいて、前記加熱手段および加湿手段の運転時間を検出する時間検知手段を備えるとともに前記時間検知手段により検出した運転時間に基づき浴室外部に経過時間を報知する経過時間報知手段を設け、前記浴室内に人が入浴したことを認知する入浴者認知手段を備え、前記入浴者認知手段により入浴者が一定時間以上入浴すると前記経過時間報知手段により浴室外部に入浴中であることを連絡し、サウナシステムは少なくとも２以上の運転モードを供え、運転モード別に前記入浴者認知手段により入浴者が一定時間以上入浴すると前記経過時間報知手段により浴室外部に入浴中であることを連絡する前記一定時間を変える仕様としたものである。
【００３９】
これにより低温高湿モード等で長時間入浴をした場合に入浴途中に何度も報知するといったわずらわしさのないサウナシステムが得られる。
【００４０】
また、本発明のサウナシステムは上記目的を達成するために、加湿手段と加熱手段と時間検知手段を備えるとともに、一定時間以上連続運転を行なったとき、加熱手段および加湿手段を停止させる長時間運転禁止制御手段を設けたものである。
【００４１】
これによりある一定時間以上サウナ運転を行なうと自動的にサウナ運転が止まることになり、独り身の人の入浴に際しても、安全に使用ができるサウナシステムが得られる。
【００４２】
また、本発明のサウナシステムは上記目的を達成するために、浴室内に人が入浴したことを認知する入浴者認知手段を備え、入浴者が浴室に入室した後、一定時間以上加湿手段あるいは加熱手段が連続運転を行なうことを禁止する長時間運転禁止制御手段を設けたものである。
【００４３】
これにより使用者が実際に入浴してからのサウナ運転時間の積算をすることができ、実際の入浴時間に対してサウナ運転を止めるため、人体に安全かつ余分に準備運転を行なったときにでも入浴前あるいは入室直後にサウナ運転が停止するということのないサウナシステムが得られる。
【００４４】
また、本発明のサウナシステムは上記目的を達成するために、サウナシステムは少なくとも２以上の温度または湿度の設定値が異なる運転モードを備え、運転モード別に加熱手段および加湿手段の一定時間以上の連続運転を停止させる長時間運転禁止制御手段を設け、前記運転モード別に前記一定時間を変えたものである。
【００４５】
これにより低温高湿空間で長時間入浴したいときにでも、途中で加熱手段および加湿手段が止まることなく快適な入浴ができるサウナシステムが得られる。
【００４６】
また、本発明のサウナシステムは上記目的を達成するために、浴室内に浴室内を加湿する加湿手段と浴室内を加熱する加熱手段と浴室内温度を検出する浴室温度検出部を備え、浴室内が上限温度以上のときに加湿手段および加熱手段の運転を停止し浴室外部に連絡する異常温度報知手段を備えたものである。
【００４７】
これにより浴室内が上限温度以上のときに加湿手段および加熱手段の運転を停止するため、安全かつ機器の故障が判断できるサウナシステムが得られる。
【００４８】
また、本発明のサウナシステムは上記目的を達成するために、浴室内に浴室内を加湿する加湿手段と浴室内を加熱する加熱手段と浴室内温度湿度を検出する浴室温度湿度検出部を備え、浴室内が上限温度湿度以上のときに加湿手段および加熱手段の運転を停止し浴室外部に連絡するものである。
【００４９】
これにより浴室内が上限温度湿度以上のときに加湿手段および加熱手段の運転を停止するため、安全かつ機器の故障が判断できるサウナシステムが得られる。
【発明の効果】
【００５７】
本発明によれば、浴室内に浴室内を加湿する加湿手段と浴室内を加熱する加熱手段を備え、前記加湿手段および前記加熱手段を運転することにより、前記浴室内を高湿状態とするサウナシステムにおいて、前記加熱手段および加湿手段の運転時間を検出する時間検知手段を備えるとともに前記時間検知手段により検出した運転時間に基づき浴室外部に経過時間を報知する経過時間報知手段を設け、前記浴室内に人が入浴したことを認知する入浴者認知手段を備え、前記入浴者認知手段により入浴者が一定時間以上入浴すると前記経過時間報知手段により浴室外部に入浴中であることを連絡し、サウナシステムは少なくとも２以上の運転モードを供え、運転モード別に前記入浴者認知手段により入浴者が一定時間以上入浴すると前記経過時間報知手段により浴室外部に入浴中であることを連絡する前記一定時間を変えてあるため、低温高湿モードで長時間入浴をした場合に入浴途中に何度も報知するといったわずらわしさのない効果を持ったサウナシステムを提供できる。
【００５８】
また、一定時間以上連続運転を行なうと、加熱手段および加湿手段を停止させるため、独り身の人の入浴に際しても、安全に使用ができる効果のあるサウナシステムを提供できる。
【００５９】
また、サウナシステムは少なくとも２以上の温度または湿度の設定値が異なる運転モードを備え、前記運転モード別に加熱手段および加湿手段の一定時間以上の連続運転を停止させる長時間運転禁止制御手段を設け、前記運転モード別に前記一定時間を変えたことを特徴とする請求項３記載のサウナシステムとしており、各運転モード別に連続長時間運転の停止時間を変えてあるため、低温高湿空間で長時間入浴したいときにでも、途中で加熱手段および加湿手段が止まることなく快適な入浴ができるといった効果を有するサウナシステムが提供できる。
【００６０】
また、浴室内が上限温度あるいは上限温度湿度以上のときに加湿手段および加熱手段の運転を停止するため、安全かつ機器の故障が判断できる効果のあるサウナシステムが提供できる。
【発明を実施するための最良の形態】
【００７１】
本発明の請求項１記載の発明は、浴室内に浴室内を加湿する加湿手段と浴室内を加熱する加熱手段を備え、前記加湿手段および前記加熱手段を運転することにより、前記浴室内を高湿状態とするサウナシステムにおいて、前記加熱手段および加湿手段の運転時間を検出する時間検知手段を備えるとともに前記時間検知手段により検出した運転時間に基づき浴室外部に経過時間を報知する経過時間報知手段を設け、前記浴室内に人が入浴したことを認知する入浴者認知手段を備え、前記入浴者認知手段により入浴者が一定時間以上入浴すると前記経過時間報知手段により浴室外部に入浴中であることを連絡し、サウナシステムは少なくとも２以上の運転モードを供え、運転モード別に前記入浴者認知手段により入浴者が一定時間以上入浴すると前記経過時間報知手段により浴室外部に入浴中であることを連絡する前記一定時間を変えるものであり、例えば低温高湿モードで長時間入浴をした場合に入浴途中に何度も報知するといったわずらわしさのないサウナシステムとなる。
【００７２】
また本発明の請求項２記載の発明は、加湿手段と加熱手段と時間検知手段を備えるとともに、一定時間以上連続運転を行なうと、加熱手段および加湿手段を停止させる長時間運転禁止制御手段を設けたものであり、独り身の人の入浴に際しても、安全に使用することができる。
【００７３】
また本発明の請求項３記載の発明は、浴室内に人が入浴したことを認知する入浴者認知手段を備え、入浴者が浴室に入室した後、一定時間以上加湿手段と加熱手段が連続運転を行なうことを禁止する長時間運転禁止制御手段を設けたものであり、独り身の人の入浴に際しても、安全に使用ができる。
【００７４】
また本発明の請求項４記載の発明は、サウナシステムは少なくとも２以上の温度または湿度の設定値が異なる運転モードを備え、前記運転モード別に加熱手段および加湿手段の一定時間以上の連続運転を停止させる長時間運転禁止制御手段を設け、前記運転モード別に前記一定時間を変えたものであり、低温高湿空間で長時間入浴したいときにでも、途中で加熱手段および加湿手段が止まることなく快適な入浴ができる。
【００７５】
また本発明の請求項５記載の発明は、浴室内に浴室内を加湿する加湿手段と浴室内を加熱する加熱手段と浴室内温度を検出する浴室温度検出部を備え、浴室内が上限温度以上のときに加湿手段および加熱手段の運転を停止し浴室外部に連絡する異常温度報知手段を備えたものであり、安全かつ機器の故障が判断できる効果のあるサウナシステムが提供できる。
【００７６】
また本発明の請求項６記載の発明は、浴室内に浴室内を加湿する加湿手段と浴室内を加熱する加熱手段と浴室内温度湿度を検出する浴室温度湿度検出部を備え、浴室内が上限温度湿度以上のときに加湿手段および加熱手段の運転を停止し浴室外部に連絡するものであり、安全かつ機器の故障が判断できる効果のあるサウナシステムが提供できる。
【００７７】
以下、本発明の実施の形態について図面を参照しながら説明する。
【００７８】
（参考の形態１）
図１は参考の形態１のサウナシステムの設置イメージ図である。図２は参考の形態１のサウナシステムにおける加熱手段および加湿手段の内部構造図を示す。図３は、参考の形態１に係るサウナシステムにおける加湿部１の構成を模式化した説明図である。
【００７９】
図１に示すように浴室１０１の天井面に浴室１０１外側側面に備えられた熱源としての給湯器２と温水配管３を介して接続された加湿手段４および加熱手段５が設置されている。加熱手段５は浴室乾燥機６であり片側面を屋外に接続されたダクト７と接続されており、一方加湿手段４および加熱手段５は電気的に制御回路８に接続されており、さらに制御回路８は浴室１０１と浴室ドア９を介して隣接する隣室１０の空間に設置された温度湿度検出手段１１と第一の報知手段１２と電気的に接続されている。
【００８０】
また図２に示すように、空気を加熱加湿する加湿手段４は加湿部１と送風機１３と加湿温水回路１４と熱交換器１５と温水循環手段１６と貯水部１７および給水手段１８から構成され、加湿部１には、温水を循環供給する加湿温水回路１４が接続されるとともに、送風機１３によって加熱加湿空間である浴室やシャワー室等の空気が供給されている。加湿温水回路１４は、貯水部１７と、温水循環手段としてのポンプ１６と、熱交換器１５と加湿部１に連結され、貯水部１７に蓄えられた水または温水が温水循環手段１６により、熱交換器１５を介して加湿部１を通過し再び貯水部１７に戻る回路により構成されている。貯水部１７には、給水手段として給水管１８が水道管に接続されるとともに、貯水部１７内の水位を検出する一定量貯水手段として水位センサー１９が設けられている。一定量検知手段１９の一定量とは、あまり容量を多くすると水量および熱量が無駄となり、一方少なすぎると給水される頻度が高くなり供給水が冷水の場合そのたびに貯水部１７内水温が低下し、サウナ装置の性能が一時低下することとなるため、加湿量が４Ｌ／時間とした場合３〜４Ｌ程度がよい。なお実施例の給水手段はヘッド圧を有する水道管としたがヘッド圧を有する給湯器２としてもよく、またヘッド圧がない水または温水を給水する場合はポンプを備えたものとしてもよい。
【００８１】
給水管１８には給水閉止弁２０が設けられておりさらに水浄化手段２１が備えられている。給水手段としての給水管１８から供給される水は給水閉止弁の１２が開いていているときに水浄化手段２１により水中に混入する不純物が除去され貯水部１７に給水されることとなる。給水される水は貯水部１７および加湿温水回路１４に貯水され、ある一定貯水量になると一定量貯水手段である水位センサー１９が検知し、給水閉止弁２０を閉にするように信号を送ることにより給水閉止弁２０が閉となり貯水部１７への給水は停止する。貯水部１７における貯水量が低下すると水位センサー１９が検知し給水閉止弁２０を開にするように信号を送ることにより給水閉止弁２０が開となり再び給水が開始される。なお水位センサー１９と給水閉止弁２０が一体となり構成されているボールタップを用いても同様の効果が得られる。
【００８２】
熱交換器１５には、外部の熱源としての給湯器２の暖房循環配管系である１次温水回路１９が接続されている。１次温水回路１９には、熱源である給湯器２で加熱された温水が循環している。熱源である給湯器２から供給された温水は熱交換器１５に常に８０℃程度の一定温度と２Ｌ／分程度の流量の温水を供給する。つまり熱交換器１５には常時同じ熱量が１次温水回路１９より提供される構成となっている。熱交換器１５を通過した温水は１次温水回路１９により給湯器２に戻され再び熱を帯び熱交換器１５に循環供給する。    
【００８３】
一方、加湿温水回路１４は２次流量調節手段２３を備えており、２次流量調節手段２３は定流量弁であり常に温水循環手段であるポンプ１６から吐出された水の流量を一定に保つものである。このため加湿温水回路１４には常に一定の量の水または温水が流れ、熱交換器１５にも常に一定の流量の水つまり加湿温水回路循環水が流れることとなる。給湯器２に備えられた１次供給温度流量調整手段（図示せず）により常に外部の熱源である給湯器２からは一定の熱量を熱交換器１５は授受しているため、熱交換器１５を通過した加湿温水回路循環水は一定の熱量を持って加湿部１に供給されこととなり、加湿部１からは常に一定の熱量を持った加熱加湿空気が吹出されることとなる。なお、本実施例では２次流量調節手段２３を設けたが、温水循環手段であるポンプ１５が電源周波数の異なる地域で同吐出量または性能が異なることが許容され、加湿温水回路１４内の圧力損失とポンプ１６の性能がチューニングされている場合は省略してもかまわない。
【００８４】
貯水部１７の下部には貯水した水を排水する排水開閉手段２４が設けられている。排水開閉手段２４は排水管と排水開閉弁から構成され、排水管は貯水部１７に貯水された水または温水を排水するのに十分な勾配を持ち、排水開閉弁が開くと貯水部１７に貯水された水または温水が排水される。排水開閉手段２４は制御回路８と電気的に接続され、制御回路８が排水開閉手段２４に排水弁の開閉の信号を送信する。排水開閉弁は通常装置の停止状態は開いており、つまり排水モードで待機する。サウナ運転開始つまり温水循環手段１６および送風機１３の動作開始時に制御回路８より信号が送られ排水弁は閉じた状態となり排水開閉手段２４は給水モードとなる。一方、サウナ運転停止つまり温水循環手段１６および送風機１３の動作停止一定時間後に制御回路８より信号が送られ自動的に排水弁は開いた状態となり排水開閉手段２４は排水モードとなる。前記一定時間後とは水中の塩素が水中菌の増殖を抑制する時間内であり、水温にもよるが一般的には常温で２４時間以内であれば水道水内部の残留塩素により菌の繁殖が抑制されるため最長でも２４時間以内であり、一方、貯水部１７に貯水されている温水は６０〜７０℃と高温のため排水開閉手段２４に現地で施工される排水管が耐熱性のものでないと排水管の亀裂等不具合が起こるため、貯水部１７に貯水された温水が５０℃以下程度となる３〜１０分程度の一定時間温水を放置した後流す必要があり、つまり一定時間とは排水の水温が低下するまでの時間から給水後２４時間以内を示す。
【００８５】
また貯水部１７上部には水位センサーである溢水検知手段２５を備えている。貯水部１７給水する給水手段１８の故障、一定量貯水手段８の故障により給水が止まらない場合、または熱交換器１５内部で１次温水２２が漏洩し加湿温水回路１４内に侵入した場合に貯水部１７の保有水量が一定量を超過し、溢水検知手段２５により異常を検知し、電気的に接続された制御回路８に信号を送り、制御回路８から給水閉止手段２１と排水開閉手段２４と温水循環手段１６と送風機１３に信号を送り、給水閉止手段２１は給水動作を停止する動作を行い、排水開閉手段２４は排水モードである排水弁を開く動作を行い、一方、温水循環手段１６と送風機１３は停止する。
【００８６】
図３は、参考の実施の形態１に係るサウナ装置における加湿部１の構成を模式化した説明図である。図３に示すように、加湿部１は水蒸気透過性を有する透湿膜２６を挟んで、膜の一方側に温水を流通させる温水経路１９、反対側に空気を流通させる空気流路２０が形成された構成となっている。
【００８７】
以上のような構成を有する、参考の形態のサウナ装置の基本的な動作は次のようなものである。
【００８８】
加湿部１に加湿温水回路１４内部の温水がポンプ１６によって循環され、熱交換器１５において１次温水回路１０内部の温水との間で熱交換されて所定の温度まで加熱される。この時の温度は、１次温水回路１０内の温水温度が８０℃程度の時に７０℃程度である。こうして加熱された加湿温水回路１４内部の温水は加湿部１に供給され、温水経路１９を通過する。この時、水蒸気透過性を有する透湿膜を水蒸気だけが透過して透湿膜を挟んだ反対側、すなわち空気経路２０側に拡散する。残りの温水は、加湿部１を通過しそのまま加湿温水回路１４を循環する。一方、吸込み空気は、送風機１３によって加湿部１に供給され、空気経路２０を通過する。この時、温水経路１９側から透過してきた水蒸気によって空気は加湿されるとともに、温水との熱交換によって加熱される。そして、この加熱加湿された空気が加熱加湿空間とする浴室やシャワー室に吹き出される。こうして浴室やシャワー室内の空気は加熱加湿され、サウナ浴に適した室内の温湿度条件、すなわち温度が４０〜５０℃程度、相対湿度が７０％以上程度に保持される。
【００８９】
本参考例のサウナ装置では、加湿部１において加湿温水回路１４を循環する温水から水蒸気のみが透湿膜２６を介して空気に供給され、残りの温水は再び加湿温水回路１４を循環し、熱交換器１５で加熱後再び加湿器１に供給される。このため、残りの温水が保有するエネルギーを有効に再利用でき、効率的な加湿が可能である。その結果、温水の使用量や温水を所定の温度まで昇温するための加熱量が少なくなり、ランニングコストを抑えることが可能となる。
【００９０】
また空気中に温水を噴出するのではなく、透湿膜２６を透過した水蒸気のみを空気に供給する構成である。この為、微細水滴が浴室内に吹き出されて入浴者の体に触れることはなく、体感上も快適なものとなる。
【００９１】
一方、加湿手段４および加熱手段５を作動させると浴室内１０１空気は膨張する。例えば加湿手段４および加熱手段５を作動させる前の浴室内１０１温湿度を２０℃・６０％とし動作中の温湿度を４０℃・９０％とすると、浴室内１０１の空気の体積は約１．１３倍となり、浴室１０１の大きさを１６００ｍｍ×１６００ｍｍ×２２００ｍｍとすると約０．７立方メートルの空気が過剰となる。動作前の温湿度が低ければ低いほど余剰空気は多くなるのは明かである。浴室１０１を密閉空間とすると浴室１０１内の空間は圧力が高くなる。ここで浴室ドア９に浴室１０１と隣室１０とを連通する換気用のガラリ２７が設けられていた場合、浴室内１０１は隣室１０に対して空気が膨張しているため正圧となり、ガラリ２７を通じて浴室内１０１の高温高湿の空気は隣室１０に漏洩することとなる。一方隣室１０内は浴室１０１内の温度に比べ当然低温のため、漏洩した高温高湿の空気は冷やされることとなり、これが露点温度以下となった場合隣室１０で結露がおこる。この結露は隣室１０の壁面等でおこることが多く、これがカビ等の発生原因となる。
【００９２】
この隣室１０で発生するカビを抑制するためサウナシステムは隣室１０への高温高湿空気の漏洩を抑制するため、浴室内負圧手段６またはドア開き検知手段１１と第一の報知手段１２の組み合わせによる湿気漏れ防止手段を備えている。
【００９３】
湿気洩れ防止手段の第一の手段である浴室内負圧手段６について説明する。浴室１０１の浴室ドア９を介して連通する隣室１０の浴室１０１側の壁面に隣室１０の空気温度と湿度を検出する温度湿度検出手段１１と音または表示で浴室外の第３者に連絡する第一の報知手段１２が設置されており、温度湿度検出手段１１および第一の報知手段１２は制御回路８と電気的に接続され、制御回路８は加湿手段４と加熱手段５と電気的に接続されている。
【００９４】
加熱手段５は浴室乾燥機６であり内部に暖房用熱交換器２８と温風送風手段２９で構成する暖房手段３０と、浴室１０１の空気を屋外３１に排出する浴室内負圧手段として微小換気手段６が備えられている。微小換気手段６は浴室乾燥機６であり、浴室乾燥機６と加湿手段４１は電気的に接続されている。
【００９５】
浴室乾燥機６は浴室１０１に接する部分に第一の開口部（図示せず）を持ち、前記の開口部により浴室１０１内と浴室乾燥機６内は連通している。暖房手段３０は温風送風手段２９である温風用ファン２９が動作することにより浴室内から空気を吸込み、給湯器２と１次温水配管１９により接続され１次温水配管１９により温水が供給される暖房用熱交換器２８を通過させ浴室１０１に温風を吹出すものである。一方、換気手段３８は換気ファン３３が動作することにより浴室１０１から吸込んだ空気を浴室乾燥機６から屋外３１へ連結するダクト７を通過し屋外３１に排出するものである。
【００９６】
加湿手段４は送風機１３および循環温水手段１５が駆動することにより加湿部１で加熱加湿空気が作り出され吹出口３７を通じて浴室内１０１に加熱加湿空気を送風する。
【００９７】
一方、加熱手段１２である浴室乾燥機６は加湿手段４１から電気的に信号を受け、浴室内１０１空気を温風用ファン２９が動作することにより吸込み、給湯器２と１次温水配管１９により連通した暖房手段３０を通過することにより温風として浴室１０１に吹出す。さらに、換気ファン３３は浴室内１０１空気を吸込み、ダクト７を介して屋外３１に排出する。このとき浴室温度湿度検出部３４で浴室内１０１の温度湿度を検出し制御回路８に送信し、制御回路８は温度湿度の上昇値によって浴室内空気の膨張度合いを推測し、換気ファン３３の回転数を変化させ、常時浴室内１０１を隣室１０に対し負圧となるように制御する。このことにより、換気ファン３３は浴室内１０１の温度湿度上昇時は常時微小に換気することで浴室１０１は隣室１０より負圧となり、浴室１０１から加熱加湿空気が隣室１０に漏洩することがなくなり、つまりは隣室１０壁面等のカビの発生を抑制することができる。なお、本実施例では浴室内を負圧とすると記載したが、隣室１０に対し同圧とする浴室内同圧手段としての微小換気手段６を動作した場合、浴室１０１と隣室１０は同圧により空気の流れは生じなくなり浴室１０１から隣室１０へ加熱加湿空気の漏れは少なく、必要以上に熱量を排気しなくなり熱ロスおよび加湿ロスが少ない経済的なサウナシステムとなる。
【００９８】
つぎに湿気洩れ防止手段の第ニの手段であるドア開き検知手段１１と第一の報知手段１２の組み合わせについて説明する。
【００９９】
浴室ドア９が開いたまま、加湿手段４または加熱手段５が動作した場合、換気ファン３３が動作していても隣室１０に加熱加湿空気が必要以上に漏洩する。隣室１０に備えたドア開き検知手段１１としての温度湿度検出手段１１は隣室１０の温度湿度を検出し、検出値を制御回路８に通信しており、隣室１０の温度湿度が一定の時間における浴室ドア９が閉められていた場合に浴室ドア９または浴室壁面からの輻射熱よる温度上昇値より高いと制御回路８が温度上昇値を判断した場合あるいは湿度が上昇した場合に、制御回路８から電気的に接続された第一の報知手段１２に信号を送り、第一の報知手段１２は音声等で浴室外に報知する。制御回路８は予め様々なサウナ起動前の温度湿度に対しての一定時間例えば５分間の温度湿度の上昇値が記憶されておりサウナ起動前の隣室１０の温度湿度に対し５分後に記憶してある上昇値と比較することにより温度上昇値に対しての高低を判断する。そして報知により異常を確認した使用者が浴室ドア９の状況を確認することとなり、浴室ドア９と閉めることにより隣室１０への高温高湿空気の漏洩はなくなる。
【０１００】
なお、本実施例のドア開き検知手段は温度湿度検出手段１１を用いたが、浴室ドア９にドアの開閉状態を認知する機械的なリミットスイッチを用いてもよくその作用効果に差異はない。
【０１０１】
また、さらに第一の報知手段１２により報知した後隣室１０の温度あるいは湿度の上昇が一定時間、例えば５分程度継続したと制御回路８が判断したときに、電気的に接続されている加湿手段４および加熱手段５に信号を送り、加湿手段４および加熱手段５を自動停止させることとなる。このことにより、使用者が第一の報知手段１２が聞こえない場所に移動しているために第一の報知手段１２の報知に気がつかず浴室ドア９を閉めに行かなかったことによる浴室１０１からのさらなる多量の加熱加湿空気の漏洩に対しても隣室１０の湿気漏れによる被害は最小限に食い止めることができる。
【０１０２】
本参考例では浴室温度湿度検出部３４を加湿手段４内部に備えたものであるが、加熱手段５あるいは浴室１０１内に単独で設置されていても同じであり、その作用に何ら変わるところはない。
【０１０３】
（実施の形態１）
図４は本発明第１実施の形態のサウナシステムの設置イメージ図であり、図５本発明のサウナシステムにおける加熱手段および加湿手段の内部構造図を示す。図６は本発明第１実施形態の第一の報知手段を示す。なお、参考の形態１と同一部分については、同一符号を付して詳細な説明は省略する。
【０１０４】
加湿手段４は浴室温度湿度検出部３４と第二の報知手段３５を具備し、浴室温度湿度検出部３４は送風機１３の吸込み側にあたる吸込口３６に設置され送風機１３が作動することにより浴室内１０１の空気が吸込まれ、浴室内１０１空気が風路を形成してなる吸込口３６の浴室温度湿度検出部３４を通過することとなり、浴室温度湿度検出部３４は浴室内１０１の温度湿度を検出することとなる。一方、第二の報知手段３５は加湿手段４の浴室１０１側に設けられた浴室内空気を吸込む吸込口３６と送風機１３および加湿部１を経由した加熱加湿空気を吹出す吹出口３７を備えたグリル３８に設けられたものであり、入浴時間を表示した表示部分（図示せず）と音声で伝えるマイク部分（図示せず）で構成されている。そして浴室温度湿度検出部３４と第二の報知手段３５はともに制御回路８に電気的に接続されている。
【０１０５】
また、加湿手段４は浴室温度湿度検出部３４と浴室内表示部（図示せず）と浴室内報知部（図示せず）からなる第二の報知手段３５を具備し、一方隣室１０の浴室１０１側の壁面に音または表示で浴室外の第３者に連絡する第一の報知手段１２が設置されており、第一の報知手段１２は浴室外に音声で報知するマイク部４０と入浴時間あるいはサウナシステム起動からの時間を視覚で報知つまりは表示する表示部４１と入浴ボタン４２と操作スイッチ４３が設けられている。
【０１０６】
操作スイッチ４３は加湿手段４および加熱手段５の動作指示と動作時間を検知する時間検知手段および経過時間を積算するマイコンを搭載した制御回路８を介して加湿手段４および加熱手段５に送るものである。操作スイッチ４３の運転ボタン４４を押すことにより加熱手段１および加湿手段２が起動し、起動と同時に第一の報知手段１２の経過時間報知手段としての表示部４１は制御回路８より通信された経過時間あるいは残時間を表示する。入浴者がサウナ入浴するために浴室１０１に入室するとき第一の報知手段１２の入浴者認知手段として入浴ボタン４２を押すことにより、第一の報知手段１２の表示部４１の経過時間積算カウントはリセットされ入浴時間あるいは残時間を表示するとともに、浴室内１０１の加湿手段４の第二の報知手段３５に備えた経過時間報知手段としての浴室内表示部が時間検知手段を搭載した制御回路８から通信された入浴時間カウントあるいは残時間の表示を行なう。操作スイッチ４３は浴室内１０１を高温高湿に維持する指示を送る強運転ボタンと低温高湿に維持する弱運転ボタン４６を有している。浴室内１０１を高温高湿の条件にするためには加湿手段４および加熱手段５を最大能力で運転させ、一方低温高湿条件にするためには加湿手段４を運転、加熱手段５を停止あるいは温風用ファン３２の回転数を落とす等すればよい。制御回路８は何種類かの運転パターンを記憶しており、設定温湿度および報知時間間隔は使用者の好みによって自由に変更できる。
【０１０７】
入浴者が運転ボタン４４と強ボタン４５を押し浴室内１０１を高温高湿、例えば４４℃９０％の状態にした場合、入浴するときに入浴ボタン４２を押すことにより入浴時間あるいは入浴残時間のカウントが始まる。そして入浴ボタン４２が押されたあと一定時間後、例えば１５分経過した時に第二の報知手段３５の長時間運転禁止制御手段としての浴室内報知部（図示せず）より時間経過を報知する音声が発せられ、２０分経過した時に第二の報知手段３５および第一の報知手段１２に備えた経過時間報知手段としてのマイク部４０より音声が発せられ、浴室外にいる第３者に入浴時間を報知することとなる。さらに３０分経過した時、第二の報知手段３５および第一の報知手段１２に備えた長時間運転禁止制御手段としてのマイク部４０より音声が発せられ、加湿手段４と加熱手段５が停止する。
【０１０８】
また、入浴者が運転ボタン４４と弱ボタン４６を押し浴室内１０１を低温高湿、例えば３８℃９０％の状態にした場合、入浴するときに入浴ボタン４２を押すことにより入浴時間あるいは入浴残時間のカウントが始まる。そして入浴ボタン４２が押されたあと一定時間後、例えば３０分経過した時に第二の報知手段３５の浴室内報知部（図示せず）より時間経過を報知する音声が発せられ、４５分経過した時に第二の報知手段３５および第一の報知手段１２に備えたマイク部４０より音声が発せられ、浴室外にいる第３者に入浴時間を報知することとなる。さらに６０分経過した時、第二の報知手段３５および第一の報知手段１２に備えたマイク部４０より音声が発せられ、加湿手段４と加熱手段５が停止する。
【０１０９】
本発明の実施例では運転モードを強／弱としたが、強／中／弱の３モードあるいはそれ以上備えていてもよく、また強運転を４４℃・９０％弱運転を３８℃・９０％としたが、温度湿度は入浴者の好みに合わせて変化させてもよく、また強運転時の報知時間を１５分・２０分・３０分、弱運転時の報知時間を３０分・４５分・６０分としたが変更しても作用効果に影響はない。但し、長時間の入浴を禁止するため加湿手段４および加熱手段５を停止させる時間は使用者には変更できないものとする。また本実施例では第二の報知手段３５を加湿手段４内部に備えたものであるが、加熱手段５あるいは浴室１０１内に単独で設置されていても同じであり、その作用に何ら変わるところはない。
【０１１０】
また加湿手段４は浴室温度湿度検出部３４と浴室内表示部（図示せず）と浴室内報知部（図示せず）からなる第二の報知手段３５を具備しており、浴室温度湿度検出部としての浴室温度湿度検出部３４は送風機１３の吸込み側にあたる吸込口３６に設置され送風機１３が作動することにより浴室内１０１の空気が吸込まれ、浴室内１０１空気が風路を形成してなる吸込口３６の浴室温度湿度検出部３４を通過することとなり、浴室温度湿度検出部３４は浴室内１０１の温度と湿度を検出することとなる。また、浴室温度湿度検出部としての浴室温度湿度検出部３４は浴室内１０１の温度と湿度を検出する。浴室内１０１が上限温度湿度例えば一般にユニットバス使用限界温度とされ人体にも過酷である５０℃９０％以上になったとき制御回路８から異常温度報知手段かつ異常湿度報知手段としての第１の報知手段１０に信号を送り、第３者に報知するとともに、加湿手段４および加熱手段５に停止信号を送り、加湿手段４と加熱手段５が停止する。この上限温度湿度は使用者に変更できるものであるが、設置する浴槽の耐熱耐湿性能にも関る温湿度のため上限値は通常のユニットバスを想定し浴室内温湿度が５０℃１００％となるように設定する。
【産業上の利用可能性】
【０１１１】
浴室内天井に加湿手段と加熱手段を備え、浴室内および浴室と浴室ドアを介して連通してなる隣室に温度湿度検出手段と報知手段を取り付けたことにより、他室への湿気漏れによる悪影響を抑制でき、さらに入浴者にとっても第３者からも安全なサウナシステムとなる。このことによりサウナ初心者でも安心して入浴することができ、幅広い層の健康維持・美容等の用途にも適用できる。
【図面の簡単な説明】
【０１１２】
【図１】参考例１のサウナシステムの設置イメージを示す図
【図２】同サウナシステムにおける加熱手段および加湿手段の内部構造図
【図３】同サウナシステムにおける加湿部の構成を模式化した説明図
【図４】本発明実施例１のサウナシステムの設置イメージを示す図
【図５】同サウナシステムにおける加熱手段および加湿手段の内部構造図
【図６】同第一の報知手段を示す図
【図７】従来のサウナシステムの設置イメージを示す図
【図８】同サウナシステムの加湿手段および加湿手段の内部構造図
【符号の説明】
【０１１３】
４  加湿手段
５  加熱手段
６  浴室乾燥機
８  制御回路
９  浴室ドア
１０  隣室
１１  第一の温度湿度検出手段
１２  第一の報知手段
３１  屋外
３４  浴室温度湿度検出部
３５  第二の報知手段
４２  入浴ボタン
４５  強運転ボタン
４６  弱運転ボタン
１０１  浴室
【図１】
0004715087.tif 000002
【図２】
0004715087.tif 000003
【図３】
0004715087.tif 000004
【図４】
0004715087.tif 000005
【図５】
0004715087.tif 000006
【図６】
0004715087.tif 000007
【図７】
0004715087.tif 000008
【図８】
0004715087.tif 000009